(57)【要約】【課題】使い捨てのパンツ型着用物品を着用したときに股下域で体液吸収性の芯材がしわを生じることなく湾曲し、湾曲したときには下方へ向かって膨らむ凹部を速やかに形成できる着用物品を提供する。【解決手段】使い捨てのパンツ型着用物品の体液吸収性芯材３３が股下域８の幅方向中央に位置する第１芯材３６と、第１芯材３６の両側それぞれに位置する一対の第２芯材３７とを有する。第２芯材３７の前後端部３７ａ，３７ｂはスリット状の隙間３８，３９を介して第１芯材３６から離れ、前後端部３７ａ，３７ｂの間の中間部分３７ｃが第１芯材３６とつながっている。第２芯材３７の外側縁部には横向きＶ字形の切欠き部４３が形成される。【選択図】      図４
2004344397.tif 000002
【特許請求の範囲】
【請求項１】
前胴周り域と後胴周り域と股下域とを有し、前記股下域を中心に前記前後胴周り域へ向かって延びる体液吸収部が形成され、前記体液吸収部が前記前後胴周り域へ向かう長さ方向と前記長さ方向と交差する幅方向とを有する使い捨てのパンツ型着用物品において、
前記体液吸収部は、前記物品着用者の肌側に位置する内面とその反対側の外面とを有する体液吸収性の芯材と、前記内面と外面とのうちの少なくとも前記内面を覆って前記肌に当接する透液性シートとを含み、前記芯材は、前記前胴周り域と前記後胴周り域と前記股下域とのうちの少なくとも前記股下域に位置する部分が前記幅方向中央に位置する第１芯材と、前記第１芯材の両側それぞれに位置する一対の第２芯材とからなり、前記第２芯材は、前記長さ方向に前端部分と後端部分とこれら両端部分間に位置する中間部分とを有し、前記前後端部分は前記第１芯材と第２芯材との間に形成されておおむね前記長さ方向へ延びる前後一対のスリット状の隙間を介して前記第１芯材から離れる一方、前記中間部分が前記第１芯材とつながった状態にあり、かつ、前記第２芯材の前記幅方向における外側縁部には前記幅方向外側に向かって拡開する横向きＶ字形の切欠き部が形成され、前記体液吸収部が前記外側縁部の近傍に前記長さ方向へ伸長状態で延びる弾性部材を有していることを特徴とする使い捨てのパンツ型着用物品。
【請求項２】
前記弾性部材は、前記外側縁部において前記切欠き部をまたいで前記長さ方向へ延びる少なくとも１条の糸状および帯状のいずれかを成すエラストマーを含む請求項１記載の使い捨てのパンツ型着用物品。
【請求項３】
前記芯材の内外面が液吸収拡散シートで被覆され、前記スリット状の隙間において前記内外面を覆う液吸収拡散シートどうしが非接合状態にある請求項１または２に記載の使い捨てのパンツ型着用物品。
【請求項４】
体液の透過に対して抵抗性を有する被覆部をさらに含み、前記吸収部が前記股下域を中心として前記前後胴周り域へ延在して前記被覆部に配置されている請求項１〜３のいずれかに記載の使い捨てのパンツ型着用物品。
【請求項５】
前記被覆部が環状のものである請求項４記載の使い捨てのパンツ型着用物品。
【発明の詳細な説明】
【０００１】
【発明の属する技術分野】
この発明は、使い捨てのパンツ型おむつ、使い捨ての失禁患者用パンツ、使い捨てのトレーニングパンツ等として使用可能な使い捨てのパンツ型着用物品に関する。
【０００２】
【従来の技術】
使い捨ておむつ等の着用物品における股下域をその物品の着用者の股部にフィットさせることを目的とした発明が特開平９−１７３３８１号公報（特許文献１）に開示されている。この発明に基づくおむつは、吸収体がおむつの長手方向中央領域に配置された第１吸収体と、股下域の両側にあって、第１吸収体から離れている一対の第２吸収体とからなる。第２吸収体の第１吸収体とは反対側の長手方向両側部には立体ギャザーが形成されている。おむつが着用状態にあるときの股下域の断面形状は、図１０（特許文献１における図４）のとおりである。図１０のおむつは、第１吸収体１０４と第２吸収体１０５と、立体ギャザー１０６とを有し、第２吸収体１０５は、立体ギャザー１０６が立ち上がることに伴って第１吸収体１０４の側方において立ち上がり、その結果として、これら第１吸収体１０４と第２吸収体１０５と立体ギャザー１０６とが協働して下方へ向かって膨らむ凹部１０７を股下域に形成している。この凹部１０７は、尿が吸収体に吸収されるまでの間、その尿を一時的に貯留しておくスペースとして利用可能である。
【０００３】
特許第２５４８７１８号公報（特許文献２）に開示された吸収用ガーメントもまた、ガーメント着用者の股部へのフィット性を向上させることを目的としている。このガーメントは吸収体と締結手段とを有するもので、吸収体の横方向の両縁部には、開口を有する切欠き部が形成され、この切欠き部の近傍には弾性部材が配置されている。この弾性部材の収縮作用により、吸収体は、切欠き部の開口を閉じるように変形しながらおむつ着用者の脚周りにフィットし、それとともに下方へ向かって膨らむ凹部を股下域に形成することが可能である。
【０００４】
【特許文献１】
特開平９−１７３３８１号公報
【特許文献２】
特許第２５４８７１８号公報
【０００５】
【発明が解決しようとする課題】
特許文献１のおむつにあっては、吸収体を第１吸収体１０４と第２吸収体１０５とに分割することによって、股下域において吸収体の側縁部、すなわち第２吸収体１０５の幅方向への変形が容易になる。しかし、吸収体は、その変形と同時に弧を画くように前後方向である長手方向に圧縮されながら変形するから、この物品を着用したときの吸収体では、前後方向にいくつもの大きなしわが生じて吸収体が股下域で嵩張り、その嵩張りによって脚の動きが妨げられたり、着用した物品の外観が不恰好なものになったりする。また、この文献に図示されている開放型のおむつは、それを着用させるときに、まず胴周り域と脚周り域とを着用者に密着させて、着用者の身体に対するおむつの位置を定め、次にファスニングテープを使用して前胴周り域と後胴周り域とを連結する。このように着用させたおむつでは、股下域が着用者の股部に沿って逆Ｖ字形に変形することが多く、そのようになった股下域は摘んで下方に引張らなければ、図１０に現われている凹部１０７が形成されない。また、この文献の第１吸収体１０４と第２吸収体１０５とは、液体透過性の表面シート１０１と液体不透過性の裏面シート１０２とでサンドウィッチされており、第１吸収体１０４と第２吸収体１０５とが離間しているところでは両シート１０１と１０２とが重なり合って一体になっている。しかるに、これら両シート１０１，１０２を接着や溶着で一体化しようとする場合に、吸収体に含まれるパルプ粒子や高吸水性ポリマー粒子が両シート１０１，１０２間に存在していると、それら粒子によって両シート１０１，１０２の接触が妨げられ、両シート１０１，１０２をうまく一体化させることができないという場合がある。第１吸収体１０４や第２吸収体１０５の近傍で両シート１０１，１０２が一体化していない吸収体では、第１吸収体１０４や第２吸収体１０５、特に小さな形状の第２吸収体１０５が所定の位置からずれ易くなる。
【０００６】
特許文献２のガーメントも開放型のものであって、特許文献１のおむつと同様に着用させた後に股下域をそれが垂れ下がるように摘んで引き下げなければ、吸収体は切欠き部の開口を閉じるように変形することが難しく、また股下域に凹部を形成することも難しい。
【０００７】
この発明は、これら従来技術の改良に係り、使い捨ての着用物品において、体液吸収性の芯材がその着用物品の着用感を悪くするような大きなしわを生じることなく股下域を中心に前後胴周り域へ向かって湾曲し、湾曲したときには股下域に下方へ向かって膨らむ凹部が速やかに形成されるようにすることを課題にしている。
【０００８】
【課題を解決するための手段】
前記課題を解決するためにこの発明が対象とするのは、前胴周り域と後胴周り域と股下域とを有し、前記股下域を中心に前記前後胴周り域へ向かって延びる体液吸収部が形成され、前記体液吸収部が前記前後胴周り域へ向かう長さ方向と前記長さ方向と交差する幅方向とを有する使い捨てのパンツ型着用物品である。
【０００９】
かかる使い捨てのパンツ型着用物品において、この発明が特徴とするところは、次のとおりである。前記体液吸収部は、前記物品着用者の肌側に位置する内面とその反対側の外面とを有する体液吸収性の芯材と、前記内面と外面とのうちの少なくとも前記内面を覆って前記肌に当接する透液性シートとを含む。前記芯材は、前記前胴周り域と前記後胴周り域と前記股下域とのうちの少なくとも前記股下域に位置する部分が前記幅方向中央に位置する第１芯材と、前記第１芯材の両側それぞれに位置する一対の第２芯材とからなる。前記第２芯材は、前記長さ方向に前端部分と後端部分とこれら両端部分間に位置する中間部分とを有する。前記前後端部分は、前記第１芯材と第２芯材との間に形成されておおむね前記長さ方向へ延びる前後一対のスリット状の隙間を介して前記第１芯材から離れる一方、前記中間部分が前記第１芯材とつながった状態にあり、かつ、前記第２芯材の前記幅方向における外側縁部には前記幅方向外側に向かって拡開する横向きＶ字形の切欠き部が形成される。前記体液吸収部は、前記外側縁部の近傍に前記長さ方向へ伸長状態で延びる弾性部材を有している。
【００１０】
この発明の好ましい実施態様において、前記弾性部材は、前記外側縁部において前記切欠き部をまたいで前記前後方向へ延びる少なくとも１条の糸状および帯状のいずれかを成すエラストマーを含む。実施態様の他の一つにおいて、前記芯材の内外面が液吸収拡散シートで被覆され、前記スリット状の隙間において前記内外面を覆う液吸収拡散シートどうしが非接合状態にある。実施態様のさらに他の一つにおいて、前記使い捨てのパンツ型着用物品は、体液の透過に対して抵抗性を有する被覆部をさらに含み、前記吸収部が前記股下域を中心として前記前後胴周り域へ延在して前記被覆部に配置されている。また、前記被覆部は、環状に形成されることがある。
【００１１】
【発明の実施の形態】
この発明に係る使い捨てのパンツ型着用物品としてパンツ型おむつを例に取り、添付の図面を参照してこの発明の詳細を説明すると、以下のとおりである。
【００１２】
図１は、使い捨てのパンツ型おむつ１の部分破断斜視図である。おむつ１は、パンツ型を呈していて好ましくは体液の透過に対して抵抗性を有する被覆部２と、体液を吸収保持するための体液吸収部３とを有する。ここでいう抵抗性とは、おむつ使用時において体液の透過がまったくないか、またはおむつ使用時において実質的に支障がない程度に体液の透過があり得ることを意味している。被覆部２は、実質的に同形同大の内面シート２ａと外面シート２ｂとを重ね合わせて互いに接合したものであって、前胴周り域６と、後胴周り域７と、股下域８とを有する。前後胴周り域６，７は、互いの側縁部１２，１３で合掌状に重なり合い、上下方向へ間欠的に並ぶ複数の部位４において接合して、おむつ１には胴周り開口９と一対の脚周り開口１１とが形成されている。胴周り開口９の周縁部では複数条の第１胴周り弾性部材１４が内外面シート２ａ，２ｂ間にあって、これらシート２ａ，２ｂの少なくとも一方の内面に伸長状態で接合している。一対の脚周り開口１１の周縁部では、一方の脚周り開口１１の前側において開口１１をおよそ半周して股下域８を横断し、もう一方の脚周り開口１１の前側において開口１１をおよそ半周する複数条の第１脚周り弾性部材１６ａと、一方の脚周り開口１１の後側において開口１１をおよそ半周して股下域８を横断し、もう一方の脚周り開口１１の後側において開口１１をおよそ半周する複数条の第２脚周り弾性部材１６ｂとが内外面シート２ａ，２ｂ間にあって、これらシート２ａ，２ｂの少なくとも一方の内面に接合している。第１脚周り弾性部材１６ａと第２脚周り弾性部材１６ｂとは、それらの全長のうちで少なくとも脚周り開口１１を半周する部分が伸長状態にあり、また脚周り開口１１の下方部分では図示の如く互いに交差している場合と、互いに接近してはいるが交差することなく並行して股下域８を横断している場合とがある。前後胴周り域６，７のそれぞれには、第１胴周り弾性部材１４と第１、第２脚周り弾性部材１６ａ，１６ｂとの間において図１の上下方向で互いに離間して胴周り方向へ平行して延びる複数条の第２胴周り弾性部材１７が設けられている。第２胴周り弾性部材１７は、外面シート２ｂの内面に沿って延びており、側縁部１２，１３の近傍では、内外面シート２ａ，２ｂ間にあって、これらシート２ａ，２ｂの少なくとも一方の内面に伸長状態で接合している。
【００１３】
図２は、図１のおむつ１を接合部位４において剥離し、前後胴周り域６，７をおむつ１の前方と後方に延びる図１に示す矢印Ｐ，Ｑ方向へ伸展したものの部分破断平面図である。被覆部２は、砂時計型を呈し、重なり合う内面シート２ａと外面シート２ｂとは、これらシート２ａ，２ｂの一方に間欠的に塗布されたホットメルト接着剤（図示せず）を介して互いに接合している。被覆部２は、その幅が縦中心線Ａ−Ａによって二等分され、その長さが横中心線Ｂ−Ｂによって二等分される。縦中心線Ａ−Ａは、図２のおむつ１において股下域８を通って前後胴周り域６，７方向へ延びるものである。吸収部３は、被覆部２の股下域８を中心に前後胴周り域６，７方向へ長く延びる矩形を呈しており、縦中心線Ａ−Ａに沿う長さ方向と、横中心線Ｂ−Ｂに沿う幅方向とを有し、その幅が縦中心線Ａ−Ａによって二等分される。吸収部３の両側縁部分には、被覆部２の前後方向へ弾性的に伸長、収縮可能なバリアカフ２１が形成されている。被覆部２の第１胴周り弾性部材１４は、吸収部３と交差することなく胴周り方向（図の横方向）へ延びており、第２胴周り弾性部材１７は、吸収部３と交差して胴周り方向へ延びている。第１、第２脚周り弾性部材１６ａ，１６ｂは股下域８において吸収部３を横断している（図３を併せて参照）。吸収部３は、その幅方向中央部と長さ方向両端縁部とが、ホットメルト接着剤６２を介して被覆部２に接合し、図ではその接着剤６２の塗布域が破線で示されている（図５，６，７を併せて参照）。かような図２のおむつ１は、縦中心線Ａ−Ａに関して実質的に対称に作られている。
【００１４】
図３は、図２に示された被覆部２の平面図である。図３では、内面シート２ａと外面シート２ｂとの間にある第１、第２胴周り弾性部材１４，１７と第１、第２脚周り弾性部材１６ａ，１６ｂとが鎖線で示され、吸収部３の位置が仮想線で示されている。
【００１５】
図４は、図２に示された吸収部３の部分破断平面図であって、被覆部２が仮想線で示されている。吸収部３は、透液性トップシート３１と、不透液性バックシート３２と、これら両シート３１，３２間に介在する体液吸収性芯材３３とを有する。芯材３３は、その全域がティッシュペーパ等の体液吸収性と体液拡散性とを有する液吸収拡散シート７０で被覆されたものであって（図５，６を併せて参照）、縦中心線Ａ−Ａ上にあって股下域８から前胴周り域６と後胴周り域７とに向かって胴周り方向への幅が広がるように延びる中央部芯材３６と、縦中心線Ａ−Ａと横中心線Ｂ−Ｂとが交差する部位を含む股下域８において中央部芯材３６の両側それぞれに位置する側部芯材３７とを有する。中央部芯材３６と側部芯材３７とは、両芯材３６，３７間に形成されている一対の間隙、すなわち縦中心線Ａ−Ａに向かってほぼ凸となるように湾曲しながらおおむね縦方向へ延びている一対の前方スリット３８と後方スリット３９とを介して互いに離間し、これら両スリット３８，３９の内端部３８ａ，３９ａどうしの間の連続部４０においてつながっている。側部芯材３７のそれぞれは、スリット３８，３９を介して中央部芯材３６と向き合う内縁部４１と、縦方向へ延びて芯材３３の最外側の一部分を形成している外縁部４２と、前胴周り域６寄りの股下域８において図上で横向きＶ字形を画きながら外縁部４２から縦中心線Ａ−Ａへ向かう切欠き部４３とを有する。内縁部４１と外縁部４２とは、互いに交差して側部芯材３７における前端部分３７ａと後端部分３７ｂとを形成している。これら両端部分３７ａ、３７Ｂの間には中間部分３７ｃが位置し、この中間部分３７ｃは連続部４０を形成している。好ましい芯材３３のスリット３８，３９は、縦中心線Ａ−Ａに平行する長さＬ１，Ｌ２が１０〜２００ｍｍの範囲にあり、幅が３〜１５ｍｍの範囲にあって、内端部３８ａと３９ａとの間隔、すなわち連続部４０における内端部３８ａと３９ａとの間の距離が１０〜３００ｍｍの範囲にある。かような芯材３３を含む吸収部３はまた、側部芯材３７の外縁部４２の近傍に、外縁部４２に沿って縦方向へ延びる股部弾性部材４６を有する。好ましい股部弾性部材４６は、複数条の例えば第１〜第４股部弾性部材４６ａ〜４６ｄからなるもので、少なくとも１条の弾性部材４６、例えば第１股部弾性部材４６ａが切欠き部４３を図示の如くまたいでいる。股部弾性部材４６ａ〜４６ｄの詳細は、図５，６，７に示されている。
【００１６】
図５は、図４のＶ−Ｖ線切断面を示す図であり、被覆部２の一部分が仮想線で示されている。トップシート３１は、中央部芯材３６と一対の側部芯材３７とからなる芯材３３の上面を覆って芯材３３から側方へ延出し、両側縁部３１ａが内側へ折り重ねられ、ホットメルト接着剤（図示せず）を介して互いに接合している。バックシート３２は、芯材３３のうちの中央部芯材３６の下面と各側部芯材３７の下面の一部分とを覆う第１バックシート３２ａと、各側部芯材３７の下面の一部分を覆い外縁部４２から側方へ延出する第２バックシート３２ｂとを有し、第２バックシート３２ｂの外縁部４８が内側へ折り返されてバリアカフ２１の一部分を成している。第２バックシート３２ｂの下面には不織布からなるカバーシート４９が接合している。カバーシート４９は、バリアカフ２１の頂部５１において内側へ折り返されてバリアカフ２１の基端部５２にまで延びることによって、バリアカフ２１の内外面を形成している。バリアカフ２１は、頂部５１の内部と、頂部５１と基端部５２との間の中間部５３の内部とに図４において縦方向に伸長状態で延びる弾性部材５４，５６を有し、これら弾性部材５４，５６が長さ方向においてカバーシート４９の内面にホットメルト接着剤（図示せず）を介して間欠的に接合している。側部芯材３７における外側縁部４２の近傍では、第２バックシート３２ｂとカバーシート４９との間に股部弾性部材４６が介在している。股部弾性部材４６のうちの第１、第２股部弾性部材４６ａ，４６ｂは、各側部芯材３７の下方にあって、縦中心線Ａ−Ａに平行して延びている（図４参照）。第３股部弾性部材４６ｃは、側部芯材３７とバリアカフ２１の基端部５２との間にあって縦中心線Ａ−Ａに平行して延びている。第４股部弾性部材４６ｄは、各バリアカフ２１の基端部５２の近傍にあって縦中心線Ａ−Ａに平行して延びている。
【００１７】
バリアカフ２１は、基端部５２から中間部５３までの間が第２バックシート３２ｂとその両面を覆うカバーシート４９とで形成されている。第２バックシート３２ｂはバリアカフ２１を不透水性のものにし、カバーシート４９は第２バックシート３２ｂを被覆してバリアカフ２１を肌触りのよいものにする。バリアカフ２１の中間部５３から頂部５１までの間は、肌触りが特に柔軟になるように、カバーシート４９だけで形成されており、第２バックシート３２ｂが使用されていない。中間部５３に位置する弾性部材５６は、頂部５１に位置する弾性部材５４よりも縦中心線Ａ−Ａ寄りにある。両弾性部材５４，５６はカバーシート４９に対して伸長状態で接合しているものであるから、それらが収縮すると、バリアカフ２１が図示の如く立ち上がる。バリアカフ２１の立ち上がる高さは、両弾性部材５４，５６の収縮量によって定まるが、中間部５３の弾性部材５６が縦中心線Ａ−Ａ寄りにあるから、立ち上がったときのバリアカフ２１のそれぞれは、吸収部３の幅方向外側に向かって拡開する横向きのＶ字形を画く。バリアカフ２１の基端部５２では、接着剤６１を介してカバーシート４９がトップシート３１の各側縁部３１ａに接合している。図５における吸収部３は、第１バックシート３２ａおよび／または第２バックシート３２ｂに塗布された接着剤６２を介して被覆部２の内面シート２ａに接合される。好ましい吸収部３は、股部弾性部材４６の伸長、収縮を妨げることがないように、第１股部弾性部材４６ａどうしの間において内面シート２ａに接合している。
【００１８】
図６は、図４のＶＩ−ＶＩ線切断面を示す図である。この図では、中央部芯材３６が吸収部３の幅全体に広がり、その中央部芯材３６の側縁部からバリアカフ２１が立ち上がる。
【００１９】
図７は、図４のＶＩＩ−ＶＩＩ線切断面を示す図である。ＶＩＩ−ＶＩＩ線は吸収部３の前端縁部３ａ（図４参照）を横断している。この前端縁部３ａには、芯材３３が含まれておらず、トップシート３１とバックシート３２とが重なり合って接着剤６３を介して接合している。また、前端縁部３ａにおけるバリアカフ２１は折り重ねられ、接着剤６４を介してカバーシート４９どうし、およびカバーシート４９とトップシート３１とが接合している。また、吸収部３は、幅方向の全体が接着剤６２を介して内面シート２ａに接合している。吸収部３の後端縁部３ｂも前端縁部３ａと同様な切断面を有する。
【００２０】
このように形成されている図１のパンツ型おむつ１では、吸収部３がＵ字形を画くように湾曲して股下域８を中心に前後胴周り域６，７へ向かって延びるときに、吸収部３における股部弾性部材４６と、バリアカフ２１の弾性部材５４，５６とが収縮する。側部芯材３７は、特に股部弾性部材４６の収縮によって、図４で横向きのＶ字形を画いている切欠き部４３の幅が狭くなるように変形すると同時に、スリット３８，３９の内端部３８ａと３９ａを結ぶ連続部４０上の線と前後一対のスリット３８，３９とに沿って折曲されるように変形し、外縁部４２がおむつ着用者の鼠蹊部へ向かって立ち上がる。側部芯材３７は、前端部分３７ａと後端部分３７ｂとがスリット３８，３９を介して中央部芯材３６から離間しているので、中央部芯材３６に拘束されることなく切欠き部４３の幅を狭めて縦中心線Ａ−Ａに沿う縦方向の寸法を縮めることができると同時に、おむつ１の上方に向かって容易に立ち上がることができる。側部芯材３７が切欠き部４３の幅を狭めるときには、その切欠き部４３でトップシート３１やバックシート３２にしわが生じるものの、側部芯材３７そのものにはしわが生じないかまたは生じても僅かであるから、この吸収部３では、剛性の高い側部芯材３７にしわが生じて嵩張り、着用者に対する吸収部３のフィット性や着用感が悪くなるということがない。側部芯材３７は、少なくとも一本の第１股部弾性部材４６ａが切欠き部４３をまたぐことによって、切欠き部４３の幅を確実に狭めることができる。
【００２１】
図８は、図１におけるＶＩＩＩ−ＶＩＩＩ線に沿った縦方向切断面の要部を示す図であって、おむつ１の着用者の両脚８０が仮想線で示されている。このＶＩＩＩ−ＶＩＩＩ線は、図２の横中心線Ｂ−Ｂに一致する線である。おむつ１は、脚周り開口１１に通した両脚８０に沿って引き上げられるにつれて、股下域８におけるバリアカフ２１が両脚８０に内側から当接し、吸収部３は側部芯材３７が立ち上がる一方、中央部芯材３６が垂れ下がった状態になる。さらに引き上げられたおむつ１は、側部芯材３７それぞれの外縁部４２が鼠蹊部８１に下方から当接したところで停止する。このときのおむつ１は、側部芯材３７が側方への体液の漏れを防ぐ体液吸収性の防漏壁となり、中央部芯材３６が体液吸収性の底部となるポケット状の凹部８２を股下域８に形成する。すなわち、このおむつ１では、中央部芯材３６と側部芯材３７とからなる吸収部３がパンツ型のおむつ１に適用されることによって、おむつ１を着用すると、芯材３３に大きなしわを生じることなく、凹部８２が自動的に形成される。この凹部８２は、おむつ１が大人用のものである場合、一回で排泄される多量の尿をそれが芯材３３に吸収されるまでの間、一時的に貯留しておくためのスペースとして有用である。図示されているように中央部芯材３６と側部芯材３７とは連続部４０でつながっている中央部芯材３６が吸収した体液を側部芯材３７へ拡散させることができる。また、中央部芯材３６と側部芯材３７とがつながっていることによって、おむつ１を製造する段階から使用する段階までの間において、中央部芯材３６に対する側部芯材３７の位置を一定に保つことができる。中央部芯材３６と側部芯材３７とが完全に切り離された状態のおむつを製造することは可能であるが、側部芯材３７は比較的小さなものであるから、それが中央部芯材３６から切り離されていると動き易く、芯材３３の全体形状を一定に保つことが難しい。この発明に係るおむつ１のように中央部芯材３６と側部芯材３７とが部分的につながる吸収部３であれば、スリット３８，３９においてトップシート３１とバックシート３２とを積極的に接合することは不要である。また、芯材３３の内外面が液吸収拡散シート７０で被覆されている場合でも、それら両面における液吸収拡散シート７０をスリット３８，３９において積極的に接合することは不要である。これらスリット３８，３９とトップシート３１とバックシート３２との位置関係は図５に例示されている。
【００２２】
図９は、実施態様の一例を示す図１と同様な図面である。図示例のおむつ１の被覆部２は、前胴周り域６と後胴周り域７とからなる環状のもので、第１胴周り弾性部材１４と第２胴周り弾性部材１７とを有するが、股下域を欠いている。かかるおむつ１の股下域８は、体液吸収部３のみによって形成されている。体液吸収部３は、その股下域８から被覆部２の前後胴周り域６，７にまで延在して被覆部２の内側に配置されており、これら両部２，３が図６，７に示されている態様と同じ態様で接合している。
【００２３】
この発明に係るおむつ１において、吸収部３の切欠き部４３は、側部芯材３７の外縁部４２における適宜の部位に少なくとも一つ形成される。中央部芯材３６は、図示例における前胴周り域６や後胴周り域７の縦方向、横方向の寸法を適宜変更することができる。トップシート３１には、透液性の不織布や透液性の開孔プラスチックフィルムを使用することができる。バックシート３２には、不透液性のプラスチックフィルムや不透液性の不織布を使用することができる。バックシート３２を被覆するカバーシート４９には、通気性不織布や通気撥水性不織布、不透液性不織布等を使用することができる。芯材３３には、粉砕パルプや粉砕パルプと高吸水性ポリマー粒子との混合物を使用することができる。被覆部２は、吸収部３をおむつ着用者の肌に当接させるためのものであるから、その形状と構造とは図示例のものに限ることなく、適宜設計を変更することができる。例えば図１において、第１，第２脚周り弾性部材１６ａ，１６ｂに代えて、脚周り開口１１それぞれの周縁部に開口１１を一周する連続弾性部材を使用することができる。被覆部２の内面シート２ａや外面シート２ｂには、不織布や織布、プラスチックフィルム等を使用することができる。股部弾性部材４６やその他の弾性部材には糸状や帯状を成す各種エラストマーを使用することができる。おむつ１の部材どうしは接着や溶着によって接合することができる。
【００２４】
使い捨てのパンツ型おむつ１を例にとって説明したこの発明は、失禁患者用パンツ、トレーニングパンツ等において実施することが可能である。
【００２５】
【発明の効果】
この発明に係る使い捨てのパンツ型着用物品は、股下域の幅方向において体液吸収性の芯材が中央部芯材とその両側に位置する側部芯材とで形成され、中央部芯材と側部芯材とが着用物品の前胴周り域寄りと後胴周り域寄りとに形成された一対のスリット状の隙間を介して離間する一方、これら一対の隙間と隙間との間においてつながっている。また、側部芯材の外側縁部には横向きＶ字形の切欠き部が形成されているから、この吸収部が取り付けられた着用物品を着用すると、側部芯材の外縁部近傍に設けられた弾性部材が収縮して側部芯材が中央部芯材の両側で立ち上がり、しわのない防漏壁を形成するとともに中央部芯材と協働して股下域の下方へ向かって膨らむ凹部を形成する。側部芯材は、その一部分が中央部芯材につながっているから、中央部芯材との位置関係が安定する。
【図面の簡単な説明】
【図１】使い捨てのパンツ型おむつの部分破断斜視図。
【図２】図１のおむつを分解し、伸展したときの部分破断平面図。
【図３】被覆部の部分破断平面図。
【図４】吸収部の部分破断平面図。
【図５】図４のＶ−Ｖ線切断面を示す図。
【図６】図４のＶＩ−ＶＩ線切断面を示す図。
【図７】図４のＶＩＩ−ＶＩＩ線切断面を示す図。
【図８】図１のＶＩＩＩ−ＶＩＩＩ線切断面の部分図。
【図９】実施態様の一例を示す図１と同様な図面。
【図１０】従来技術の一例を示す図。
【符号の説明】
１      使い捨てのパンツ型おむつ
２      被覆部
３      吸収部
６      前胴周り域
７      後胴周り域
８      股下域
３１      透液性シート（トップシート）
３３      芯材
３６      第１芯材（中央部芯材）
３７      第２芯材（側部芯材）
３７ａ      前端部分
３７ｂ      後端部分
３７ｃ      中間部分
３８      隙間（スリット）
３９      隙間（スリット）
４３      切欠き部
４４      弾性部材
７０      液吸収拡散シート
【図１】
2004344397.tif 000003
【図２】
2004344397.tif 000004
【図３】
2004344397.tif 000005
【図４】
2004344397.tif 000006
【図５】
2004344397.tif 000007
【図６】
2004344397.tif 000008
【図７】
2004344397.tif 000009
【図８】
2004344397.tif 000010
【図９】
2004344397.tif 000011
【図１０】
2004344397.tif 000012